(57)【要約】【課題】計測データの動きを正しく把握できるようにする。【解決手段】監視ポイントの計測データを所定の時間間隔で収集し、そのデータの収集時の時刻を付して定周期計測データとして記憶する。監視対象でイベントが発生した場合、そのイベントに関連して定められている所定の監視ポイントの計測データを取得し、そのデータの取得時の時刻を付してイベント発生時の計測データとして記憶する。トレンドグラフの表示要求があった場合、要求された監視ポイントの表示対象時間帯の定周期計測データとイベント発生時の計測データを読み出し、この読み出した定周期計測データとイベント発生時の計測データとを合わせたグラフを作成し、その監視ポイントの計測データのトレンドグラフ（ＴＧ１）として表示する。【選択図】  図６
2012133432.tif 000002
【特許請求の範囲】
【請求項１】
第１の軸を表示対象時間帯を示す時間軸、この時間軸に直交する第２の軸を所定の時間間隔で収集された計測データのデータ値を示すデータ軸とし、前記第１の軸と第２の軸を基軸として前記表示対象時間帯の計測データをグラフ化して表示するトレンドグラフ表示方法において、
監視対象における各監視ポイントの計測データを所定の時間間隔で収集するデータ収集ステップと、
このデータ収集ステップによって所定の時間間隔で収集された計測データをそのデータの収集時の時刻を付して定周期計測データとして記憶する定周期計測データ記憶ステップと、
前記監視対象でイベントが発生した場合、そのイベントに関連して定められている所定の前記監視ポイントの計測データを取得し、この取得した計測データをそのデータの取得時の時刻を付してイベント発生時の計測データとして記憶するイベント発生時計測データ記憶ステップと、
前記監視ポイントの表示対象時間帯の定周期計測データおよびイベント発生時の計測データを読み出し、この読み出した定周期計測データとイベント発生時の計測データとを合わせたグラフを作成し、この作成したグラフをその監視ポイントの計測データのトレンドグラフとして表示するトレンドグラフ表示ステップと
を備えることを特徴とするトレンドグラフ表示方法。
【請求項２】
請求項１に記載されたトレンドグラフ表示方法において、
前記トレンドグラフ表示ステップは、
前記トレンドグラフにおける前記イベント発生時の計測データに対応してその発生したイベントの内容を表示する
ことを特徴とするトレンドグラフ表示方法。
【請求項３】
第１の軸を表示対象時間帯を示す時間軸、この時間軸に直交する第２の軸を所定の時間間隔で収集された計測データのデータ値を示すデータ軸とし、前記第１の軸と第の２軸を基軸として前記表示対象時間帯の計測データをグラフ化して表示するトレンドグラフ表示装置において、
監視対象における各監視ポイントの計測データを所定の時間間隔で収集するデータ収集手段と、
このデータ収集手段によって所定の時間間隔で収集された計測データをそのデータの収集時の時刻を付して定周期計測データとして記憶する定周期計測データ記憶手段と、
前記監視対象でイベントが発生した場合、そのイベントに関連して定められている所定の前記監視ポイントの計測データを取得し、この取得した計測データをそのデータの取得時の時刻を付してイベント発生時の計測データとして記憶するイベント発生時計測データ記憶手段と、
前記監視ポイントの表示対象時間帯の定周期計測データおよびイベント発生時の計測データを読み出し、この読み出した定周期計測データとイベント発生時の計測データとを合わせたグラフを作成し、この作成したグラフをその監視ポイントの計測データのトレンドグラフとして表示するトレンドグラフ表示手段と
を備えることを特徴とするトレンドグラフ表示装置。
【請求項４】
請求項３に記載されたトレンドグラフ表示装置において、
前記トレンドグラフ表示手段は、
前記トレンドグラフにおける前記イベント発生時の計測データに対応してその発生したイベントの内容を表示する
ことを特徴とするトレンドグラフ表示装置。
【発明の詳細な説明】
【技術分野】
【０００１】
この発明は、圧力、液量、温度など所定の時間間隔で収集された計測データをグラフ化して表示するトレンドグラフ表示方法および装置に関するものである。
【背景技術】
【０００２】
従来より、プラントや建物などには、設備の状態や室内の状態などを監視する監視システムが設けられている。この監視システムは、中央監視装置を有し、中央監視装置には通信回線を介してコントローラが接続されている。コントローラは、各機器の制御を担当するとともに、圧力、液量、温度など各種監視ポイントの計測データを所定の時間間隔で収集し、この収集した計測データ（時系列データ）を通信回線を介して中央監視装置に送る。中央監視装置は送られてきた計測データをメモリに記憶する。
【０００３】
中央監視装置側にはオペレータがいる。オペレータは、中央監視装置のディスプレイ上に、監視ポイントを指定して、その監視ポイントの計測データのトレンドグラフを表示させることができる。例えば、中央監視装置に対し、監視ポイントとしてポイントＡを指定して、表示対象時間帯として昨日の８：００〜１８：００を指定して、トレンドグラフの表示要求を行うと、監視ポイントＡの昨日の８：００〜１８：００の計測データがメモリから読み出され、横軸を表示対象時間帯を示す時間軸、この時間軸に直交する縦軸を計測データのデータ値を示すデータ軸とし、ポイントＡの表示対象時間帯の計測データがグラフ化され、トレンドグラフとしてディスプレイ上に表示される。図８にこの場合のトレンドグラフの表示例を示す。このトレンドグラフＴＧＡは表示対象時間帯の時系列で並んだ計測データのデータ値を折れ線で結んで作成される。
【０００４】
一方、計測データの収集中、プラントや建物などの監視対象においては、機器の運転／停止、アラームの発生／復帰というような各種のイベントが発生する。この場合、計測データとイベントとはそれぞれが重要な上に密接に関係していることが多く、例えばアラームなどのイベントが発生した原因を調べるには、そのイベントと関連する計測データと突き合わせる必要がある。この突き合わせ作業は、イベントの発生時刻を調べて、この発生時刻に対応する計測データをトレンド表示させるといった煩雑な作業が必要となる。
【０００５】
そこで、特許文献１や特許文献２に示された装置では、計測データのトレンドグラフと合わせて、関連するイベントの情報も同時に画面上に表示するようにしている。図９にこの場合のイベント情報の表示例を示す。この例では、トレンドグラフＴＧＡと合わせて、関連するイベントの情報をアイコンＩＣＡとして表示している。
【先行技術文献】
【特許文献】
【０００６】
【特許文献１】特開２００５−１１１６９号公報
【特許文献２】特開２００５−１１１７０号公報
【発明の概要】
【発明が解決しようとする課題】
【０００７】
しかしながら、特許文献１や特許文献２に示された装置では、計測データのトレンドグラフが表示された画面上で、いつどのようなイベントが発生したかを把握することができるが、例えば計測データの収集周期の間にアラームが発生して復帰したような場合、そのアラームの発生／復帰時の計測データの変化がトレンドグラフに反映されず、計測データの動きを正しく把握することができない、という問題があった。
【０００８】
例えば、図９において、計測データの収集周期を１０分とし、毎時０分、１０分、２０分、３０分、４０分、５０分に計測データのデータ値が収集され、この収集されたデータ値を折れ線で結んでトレンドグラフＴＧＡが作成されているものとする。ここで、図１０に示すように、計測データと関連するアラームが「１１：０３」に発生し、そのアラームが「１１：０９」に復帰したとする。このアラームの発生／復帰は計測データの収集周期の間（１１：００〜１１：１０の間）に発生している。このため、そのアラームの発生／復帰時の計測データの変化がトレンドグラフＴＧＡに反映されず、計測データの動きを正しく把握することができない。
【０００９】
本発明は、このような課題を解決するためになされたもので、その目的とするところは、計測データの収集周期の間にその計測データと関連するイベントが発生したような場合であっても、計測データの動きを正しく把握することが可能なトレンドグラフ表示方法および装置を提供することにある。
【課題を解決するための手段】
【００１０】
このような目的を達成するために本発明は、第１の軸を表示対象時間帯を示す時間軸、この時間軸に直交する第２の軸を所定の時間間隔で収集された計測データのデータ値を示すデータ軸とし、第１の軸と第２の軸を基軸として表示対象時間帯の計測データをグラフ化して表示するトレンドグラフ表示方法において、監視対象における各監視ポイントの計測データを所定の時間間隔で収集するデータ収集ステップと、このデータ収集ステップによって所定の時間間隔で収集された計測データをそのデータの収集時の時刻を付して定周期計測データとして記憶する定周期計測データ記憶ステップと、監視対象でイベントが発生した場合、そのイベントに関連して定められている所定の監視ポイントの計測データを取得し、この取得した計測データをそのデータの取得時の時刻を付してイベント発生時の計測データとして記憶するイベント発生時計測データ記憶ステップと、監視ポイントの表示対象時間帯の定周期計測データおよびイベント発生時の計測データを読み出し、この読み出した定周期計測データとイベント発生時の計測データとを合わせたグラフを作成し、この作成したグラフをその監視ポイントの計測データのトレンドグラフとして表示するトレンドグラフ表示ステップとを備えることを特徴とする。なお、本発明は、この方法を適用した装置としても構成することができる。
【００１１】
この発明によれば、監視対象における各監視ポイントの計測データが所定の時間間隔で収集され、この収集された計測データがそのデータの収集時の時刻を付して定周期計測データとして記憶される一方、監視対象でイベントが発生すると、そのイベントに関連して定められている所定の監視ポイントの計測データが取得され、この取得された計測データがそのデータの取得時の時刻を付してイベント発生時の計測データとして記憶される。
【００１２】
本発明において、トレンドデータの表示要求が行われると、要求された監視ポイントの表示対象時間帯の定周期計測データとイベント発生時の計測データが読み出され、この読み出された定周期計測データとイベント発生時の計測データとを合わせたグラフが作成され、その監視ポイントの計測データのトレンドグラフとして表示される。このトレンドグラフにはその計測データに関連するイベントの発生時の計測データの変化が反映されている。
【発明の効果】
【００１３】
本発明によれば、監視対象における各監視ポイントの所定の時間間隔で収集した計測データをそのデータの収集時の時刻を付して定周期計測データとして記憶する一方、監視対象でイベントが発生した場合、そのイベントに関連して定められている所定の監視ポイントの計測データを取得し、この取得した計測データをそのデータの取得時の時刻を付してイベント発生時の計測データとして記憶するようにし、監視ポイントの表示対象時間帯の定周期計測データおよびイベント発生時の計測データとを合わせたグラフを作成し、その作成したグラフをその監視ポイントの計測データのトレンドグラフとして表示するようにしたので、計測データの収集周期の間にその計測データに関連するイベントが発生したような場合であっても、そのイベントの発生時の計測データの変化がトレンドグラフに反映されるものとなり、計測データの動きを正しく把握することが可能となる。
【図面の簡単な説明】
【００１４】
【図１】本発明に係るトレンドグラフ表示方法の実施に用いる監視システムの一例の要部を示すブロック構成図である。
【図２】この監視システムにおける中央監視装置のメモリに構築されるデータベースＤＢ１へのトレンドデータの記録例を示す図である。
【図３】この監視システムにおける中央監視装置のメモリに構築されるデータベースＤＢ２へのイベント履歴データの記録例を示す図である。
【図４】この監視システムにおける中央監視装置のハードウエア構成の概略を示す図である。
【図５】中央監視装置におけるＣＰＵが行うトレンドグラフ表示プログラムに従う処理動作を説明するフローチャートである。
【図６】中央監視装置のディスプレイにおけるトレンドグラフの表示例を示す図である。
【図７】中央監視装置のディスプレイにおけるトレンドグラフの表示例の別の例を示す図である。
【図８】従来のトレンドグラフの表示例（トレンドグラフのみを表示した例）を示す図である。
【図９】従来のトレンドグラフの表示例（トレンドグラフと合わせて関連するイベントの情報を表示した例）を示す図である。
【図１０】従来のトレンドグラフの表示における問題を説明する図である。
【発明を実施するための形態】
【００１５】
以下、本発明の実施の形態を図面に基づいて詳細に説明する。図１はこの発明に係るトレンドグラフ表示方法の実施に用いる監視システムの一例の要部を示すブロック構成図である。
【００１６】
同図において、１はビルの中央監視室に設けられた中央監視装置、２はビル内に分散して設けられたコントローラ、３は空調設備や熱源設備，照明設備などの設備である。中央監視装置１とコントローラ２とは通信回線Ｌを介して接続されている。この例では、コントローラ２を空調コントローラ、設備３を空調設備として、説明を行う。
【００１７】
空調コントローラ２は、空調設備３の各機器の制御を担当するとともに、空調設備３における圧力、液量、温度など各種監視ポイントの計測データを例えば１０分周期で収集し、この収集した計測データ（時系列データ）を通信回線Ｌを介して中央監視装置１に送る機能を有している。また、空調コントローラ２は、空調設備３において発生した機器の運転／停止、アラームの発生／復帰などの事象をイベントとし、そのイベントの発生を通信回線Ｌを介して中央監視装置１へ知らせる機能を有している。なお、空調コントローラ２において収集された計測データは、空調コントローラ２内のメモリに所定時間分蓄えられ、この蓄えられた計測データが中央監視装置１に定期的に送られる。
【００１８】
中央監視装置１は、空調コントローラ２から送られてくる計測データをそのデータの収集時の時刻を付して定周期計測データとして自己のメモリに蓄積する機能を有している。また、中央監視装置１は、空調コントローラ２から送られてくるイベントをそのイベントの発生時の時刻を付してイベントデータとして自己のメモリに蓄積する機能を有している。また、中央監視装置１は、空調コントローラ２からイベントの発生が知らされた場合、そのイベントに関連して定められている所定の監視ポイントの計測データを空調コントローラ２を介して取得し、この取得した計測データをそのデータの取得時の時刻を付してイベント発生時の計測データとして自己のメモリに蓄積する機能を有している。
【００１９】
なお、本実施の形態において、中央監視装置１は、各種監視ポイントの定周期計測データをトレンドデータとして、そのメモリ内に構築されるデータベースＤＢ１に蓄積するものとする。また、イベントデータとイベント発生時の計測データをイベント履歴データとして、そのメモリ内に構築されるデータベースＤＢ２に蓄積するものとする。
【００２０】
図２にデータベースＤＢ１へのトレンドデータの記録例を示す。図３にデータベースＤＢ２へのイベント履歴データの記録例を示す。図３において、「給水槽フローポンプ異常」および「給水槽フローポンプ異常復帰」の各イベントに対しては、そのイベントに関連する所定の監視ポイントとして「給水槽  液面レベル」が定められており、「給水槽フローポンプ異常」が発生した場合の「給水槽  液面レベル」の計測データがイベント発生時の計測データとして取得され、「給水槽フローポンプ異常復帰」が発生した場合の「給水槽  液面レベル」の計測データがイベント発生時の計測データとして取得される。
【００２１】
図４は、中央監視装置１のハードウエア構成の概略を示す図である。同図において、１−１はＣＰＵ、１−２はＲＡＭ、１−３はＲＯＭ、１−４はハードディスクなどの記憶装置、１−５〜１−７はインターフェイス、１−８はディスプレイ、１−９はキーボード、１−１０はマウスである。
【００２２】
ＣＰＵ１−１は、インターフェイス１−５〜１−７を介して与えられる各種入力情報を得て、ＲＡＭ１−２にアクセスしながら、ＲＯＭ１−３や記憶装置１−４に格納されたプログラムに従って動作する。記憶装置１−４には、本実施の形態特有のプログラムとして、トレンドグラフ表示プログラムが格納されている。このトレンドグラフ表示プログラムは、例えばＣＤ−ＲＯＭなどの記録媒体に記録された状態で提供され、この記録媒体から読み出されて記憶装置１−４にインストールされている。
【００２３】
なお、中央監視装置１において、トレンドデータ（定周期計測データ）が蓄積されるデータベースＤＢ１およびイベント履歴データ（イベントデータ、イベント発生時の計測データ）が蓄積されるデータベースＤＢ２は記憶装置１−４内に構築されるが、図示されていないサーバ内に構築するようにしてもよい。また、コントローラ２も、中央監視装置１と同様、プロセッサや記憶装置からなるハードウェアと、これらのハードウェアと協働して各種機能を実現させるプログラムとによって実現される。
【００２４】
以下、図５に示すフローチャートを用いて、記憶装置１−４に格納されているトレンドグラフ表示プログラムに従うＣＰＵ１−１の処理動作について説明する。
【００２５】
オペレータにより、監視ポイントとして例えば「給水槽  液面レベル」を指定し、表示対象時間帯として昨日の８：００〜１８：００を指定し、トレンドグラフの表示要求があると（ステップＳ１０１のＹＥＳ）、ＣＰＵ１−１はデータベースＤＢ１より「給水槽  液面レベル」の昨日の８：００〜１８：００のトレンドデータを読み出す（ステップＳ１０２）。
【００２６】
なお、この実施の形態では、例えば、ディスプレイ１−８にツリービュー形式で各種の監視ポイントの選択メニューが表示され、このメニューから所望の監視ポイントを選択することができるようになっている。また、トレンドグラフの表示対象時間帯は、ディスプレイ１−８上から日にちを指定して、入力することができるようになっている。
【００２７】
次に、ＣＰＵ１−１は、「給水槽  液面レベル」の昨日の８：００〜１８：００のイベント発生時の計測データをデータベースＤＢ２から読み出し（ステップＳ１０３）、ステップＳ１０２で読み出した「給水槽  液面レベル」のトレンドデータとステップＳ１０３で読み出したイベント発生時の計測データとを合わせたグラフを作成し（ステップＳ１０４）、この作成したグラフを「給水槽  液面レベル」の計測データのトレンドグラフとしてディスプレイ１−８上に表示する（ステップＳ１０５）。
【００２８】
図６にこの場合のトレンドグラフの表示例を示す。この例では、データベースＤＢ１から読み出した昨日の８：００〜１８：００の「給水槽  液面レベル」のトレンドデータ（定周期計測データ）とデータベースＤＢ２から読み出した昨日の８：００〜１８：００のイベント発生時の計測データとを時系列順に並べ、これら計測データのデータ値を折れ線で結んで、「給水槽  液面レベル」の計測データのトレンドグラフＴＧ１としている。
【００２９】
この例では、表示対象時間帯である昨日の８：００〜１８：００の期間中、１１：０３に「給水槽フローポンプ異常」が発生し、１１：０９に「給水槽フローポンプ異常復帰」が発生している。そして、１１：０３の「給水槽フローポンプ異常」の発生時に、このイベントに関連する監視ポイントとして「給水槽  液面レベル」の計測データが取得され、１１：０９の「給水槽フローポンプ異常復帰」の発生時に、このイベントに関連する監視ポイントとして「給水槽  液面レベル」の計測データが取得されている（図３のイベント履歴データ参照）。トレンドグラフＴＧ１にはこの取得されたイベント発生時の計測データが反映されている。
【００３０】
すなわち、トレンドグラフＴＧ１において、「給水槽  液面レベル」の計測データの収集周期は１０分である。これに対して、計測データの収集周期の間である１１：００〜１１：１０の間に、「給水槽フローポンプ異常」と「給水槽フローポンプ異常復帰」（アラームの発生／復帰）が発生している。従来は、このアラームの発生／復帰時の計測データの変化がトレンドグラフに反映されていなかったが、本実施の形態ではそのアラームの発生／復帰時の計測データを取得することにより、トレンドグラフＴＧ１に反映させている。これにより、計測データの動きを正しく把握することができる。
【００３１】
なお、上述においては、計測データの収集周期の間にアラームの発生／復帰が生じた場合を例にとったが、アラームの発生／復帰の場合と同様にして、計測データの収集周期の間に関連する他のイベントが発生した場合にも、そのイベントの発生時の計測データの変化がトレンドグラフに反映されるものとなる。
【００３２】
図７にトレンドグラフＴＧ１におけるイベント発生時の計測データに対応してその発生したイベントの内容を表示するようにした例を示す。図６に示したトレンドグラフＴＧ１のみでは、イベント発生時の計測データの変化を知ることができるが、どのようなイベントが発生したのかは分からない。そこで、図７に示した表示例では、ポンプアップウィンドウＷ１，Ｗ２を出現させ、イベント発生時の計測データに対応してその発生したイベントの内容を表示するようにしている。
【産業上の利用可能性】
【００３３】
本発明のトレンドグラフ表示方法および装置は、圧力、液量、温度など所定の時間間隔で収集された計測データをグラフ化して表示するトレンドグラフ表示方法および装置として、プラントや建物などを監視する監視システムなど様々なシステムで利用することができる。
【符号の説明】
【００３４】
１…中央監視装置、１−１…ＣＰＵ、１−２…ＲＡＭ、１−３…ＲＯＭ、１−４…記憶装置、１−５〜１−７…インターフェイス、１−８…ディスプレイ、１−９…キーボード、１−１０…マウス、２…コントローラ（空調コントローラ）、３…設備（空調設備）、Ｌ…通信回線、ＴＧ１…トレンドグラフ、ＤＢ１，ＤＢ２…データベース、Ｗ１，Ｗ２…ポップアップウィンドウ。
【図１】
2012133432.tif 000003
【図２】
2012133432.tif 000004
【図３】
2012133432.tif 000005
【図４】
2012133432.tif 000006
【図５】
2012133432.tif 000007
【図６】
2012133432.tif 000008
【図７】
2012133432.tif 000009
【図８】
2012133432.tif 000010
【図９】
2012133432.tif 000011
【図１０】
2012133432.tif 000012